(57)【特許請求の範囲】
【請求項１】
光源から出射された光束を光学的に処理して画像情報に対応した光学像を形成する光学系と、ここで形成された光学像を拡大投写する投写レンズと、前記光学系を収納する外装ケースと、を有する投写型表示装置において、
前記外装ケースの底壁には第１の吸気口が形成されており、
前記外装ケースの上壁には、前記第１の吸気口と対応する位置に、第２の吸気口が形成されており、
前記外装ケースには、前記第１の吸気口と前記第２の吸気口とは別に排気口が形成されており、
前記第１の吸気口と前記光学系との間には、吸気ファンが配置されており、
前記光学系には、前記吸気ファンによって前記第１の吸気口から導入された外気を前記光学系を冷却するように流通させ前記排気口から排気させる空気流通路と、前記第２の吸気口から導入された外気を前記吸気ファンの吸引側に導くと共に、前記吸気ファンによって前記第２の吸気口から導入された外気を前記光学系を冷却するように流通させ前記排気口から排気させる空気流通路が形成されていることを特徴とする投写型表示装置。
【請求項２】
請求項１において、前記吸気ファンの周囲は封止板によって覆われていることを特徴とする投写型表示装置。
【発明の詳細な説明】
【０００１】
【産業上の利用分野】
本発明は、光源から出射された光束を光学的に処理して画像情報に対応した光学像を形成する光学系と、ここで形成された光学像を拡大投写する投写レンズと、前記光学系を収納する外装ケースと、を有する投写型表示装置に関するものである。さらに詳しくは、本発明はこのような投写型表示装置の内部を効率良く冷却するための冷却機構に関するものである。
【０００２】
【従来の技術】
投写型表示装置は基本的には次の各部分から構成されている。すなわち、光源ランプユニットと、ここから出射された白色光束を映像情報に対応したカラー画像を合成できるように光学的に処理する光学レンズユニットと、ここで合成された光束をスクリーン上に投写する投写レンズユニットと、電源ユニットと、制御回路等が搭載された回路基板群である。投写レンズユニットを除きこれらの各部分は装置外装ケース内に配置されている。投写レンズユニットは、一般には装置の前面から突出した状態で取付けられている。外装ケースの表面には、電源スイッチ等の操作部材、リモートコントロール用の受光窓等が配置されている。
【０００３】
この種の投写型表示装置では、内部の発熱源である光源ランプユニット、電源ユニット等を冷却するための冷却機構が組み込まれている。一般的には、外装ケースの通気口から吸気ファンによって外気を導入して、内部の発熱源の部分を経由して外気を流した後に、排気ファンによって外装ケースに形成した排気口から空気を外部に排出するようにしている。
【０００４】
【発明が解決しようとする課題】
投写型表示装置を携帯に便利なように小型でコンパクトに構成すると、内部空間も狭くなり、冷却用空気の流通路を充分に確保できないこともある。また、電源ユニット等は、ノイズ発生を防止するためにシールド板で覆うことが望ましいが、このようにすると、電源ユニットの内部は他の部分と隔離された空間となる。このため、電源ユニットの内部に冷却用空気が充分に流れず、効率良く冷却できない結果にもなる。さらには、外装ケースの開けた外気の導入口に目詰まりが起きた場合には、充分な外気を装置内部に導入できないので、冷却動作が不十分になるという弊害も発生する。
【０００５】
本発明の課題は、このような点に着目して、装置内部の各部分を効率良く冷却することのできる冷却機構を備えた投写型表示装置を実現することにある。
【０００６】
【課題を解決するための手段】
本発明の投写型表示装置は、光源から出射された光束を光学的に処理して画像情報に対応した光学像を形成する光学系と、ここで形成された光学像を拡大投写する投写レンズと、前記光学系を収納する外装ケースと、を有する投写型表示装置において、前記外装ケースの底壁には第１の吸気口が形成されており、前記外装ケースの上壁には、前記第１の吸気口と対応する位置に、第２の吸気口が形成されており、前記第１の吸気口と前記光学系との間には、吸気ファンが配置されており、前記第１の吸気口と前記第２の吸気口とから吸気され、前記光学系を冷却した空気を前記外装ケースの外に排出する排気口を前記外装ケースに備え、前記光学系には、前記第２の吸気口から導入された外気を前記吸気ファンの吸引側に導くと共に、当該吸気ファンから吹きだされた空気を前記第２の吸気口の側に導く空気流通路が形成されていることを特徴とする。
【０００８】
また、本発明の投写型表示装置において、前記吸気ファンの周囲は封止板によって覆われていることが好ましい。
【０００９】
【作用】
本発明の投写型表示装置では、外装ケースの底壁に第１の吸気口が形成されており、外装ケースの上壁には、前記第１の吸気口と対応する位置に、第２の吸気口が形成されており、第１の吸気口と光学系との間に吸気ファンが配置されている。したがって、吸気ファンの吸引側の吸気口が目詰まりした場合でも、この第２の吸気口から充分な吸気を導入できる。よって、常に内部の冷却を充分に行うことができる。
【００１０】
【実施例】
以下に、図面を参照して本発明の一実施である投写型表示装置を説明する。
【００１１】
（全体構成）
図１には本例の投写型表示装置の外観を示してある。本例の投写型表示装置１は、直方体形状をした外装ケース２を有している。外装ケース２は、基本的には、アッパーケース３と、ロアーケース４と、装置前面を規定しているフロントケース５から構成されている。フロントケース５の中央からは投写レンズユニット６の先端側の部分が突出している。
【００１２】
図２には、投写型表示装置１の外装ケース２の内部における各構成部分の配置を示してある。この図に示すように、外装ケース２の内部において、その後端側には電源ユニット７が配置されている。これよりも装置前側に隣接した位置には、光源ランプユニット８および光学レンズユニット９が配置されている。光学レンズユニット９の前側の中央には、投写レンズユニット６の基端側が位置している。一方、光学レンズユニット９の一方の側には、装置前後方向に向けて入出力インタフェース回路が搭載されたインタフェース基板１１が配置され、これに平行に、ビデオ信号処理回路が搭載されたビデオ基板１２が配置されている。さらに、光源ランプユニット８、光学レンズユニット９の上側には、装置駆動制御用の制御基板１３が配置されている。装置前端側の左右の角には、それぞれスピーカ１４Ｒ、１４Ｌが配置されている。光学レンズユニット９の裏面中央には冷却用の吸気ファン１５が配置され、光源ランプユニット８の裏面側である装置側面には排気ファン１６が配置されている。そして、電源ユニット７における基板１１、１２の端に面する位置には、吸気ファン１４からの冷却用空気流を電源ユニット７内に吸引するための補助冷却ファン１７が配置されている。
【００１３】
（外装ケースの構造）
図１に示すように、外装ケース２のアッパーケース３は、長方形の上壁３ａと、その前側を除く三方の辺からほぼ垂直に下方に延びている左右の側壁３ｂ、３ｃおよび後壁３ｄから形成されている。同様に、ロアーケース４は、長方形の底壁４ａと、その前側を除く三方の辺からほぼ垂直に起立している左右の側壁４ｂ、４ｃおよび後壁４ｄから形成されている。フロントケース５は、中央部分が僅かに前方に凸状態に湾曲しており、この部分には環状リム５ａが周囲に形成された円形の開口５ｂが開いており、ここを通って、投写レンズユニット６の前端側の部分が装置前方側に延びている。アッパーケース３とロアーケース４とは、左右の側壁におけるそれぞれ２箇所の位置で、固定ねじ２１ａ、２１ｂおよび２２ａ、２２ｂにより相互に連結されている（図１６参照）。フロントケース５は、上下からアッパーケース３およびロアーケース４によって挟まれた状態で保持されている。
【００１４】
アッパーケース３の上壁３ａには、その中央の前方側の位置に、エアーフィルタカバー２３が取付けられている。このカバー２３には多数の通気孔が形成されており、この内側には、ここを介して外部から塵等が侵入することの無いように、エアーフィルタ２４が取付けられている（図２（ｂ）参照）。この上壁３ａの前方側の左右の端には、内蔵スピーカー１４Ｒ、１４Ｌに対応した位置に多数の連通孔２５Ｒ、２５Ｌが形成されている。また、上壁３ａの左側の端の部分には、操作スチッチ蓋２６が取付けられている。この操作スイッチ蓋２６はその一方の端を中心として図１（ｃ）に示すように開閉できるようになっている。この蓋２６を開くと、その内部に配列された多数の操作スイッチ２６ａが露出する（図１７（ｂ）参照）。
【００１５】
ロアーケース４の底壁４ａには、内蔵されている光源ランプユニット８に対応する位置にランプ交換蓋２７が取付けられている。この交換蓋２７は下壁４ａにねじ止めされており、ねじを緩めて蓋２７を取外ずれせ内蔵の光源ランプユニット８を交換することができる。この交換蓋２７よりも前側の位置には、通気孔２８が形成されている。この通気孔２８は、内蔵の冷却用の吸気ファン１５に対応した位置に形成されている。この通気孔２８の裏面側にもエアーフィルタ２９（図２（ｂ）参照）が取付けられ、ここから塵等が内部に侵入することを防止している。
【００１６】
底壁４ａの前端の左右の角には、高さ調整用フット３１（３１Ｒ、３１Ｌ）が配置されている。これらのフット３１は、それを回すことにより高さの微調整ができ、フロントケース５の両端の下側部分に突出している高さ調整ボタン３２（３２Ｒ、３２Ｌ）を操作することにより、これらのフット３１の高さを大まかに調整（粗調整）できるようになっている。底壁４ａの後端側の中央には突起３３が形成されており、この突起３３と、上記の２個のフット３１とにより装置１は３点支持された状態でテーブル等に設置される。なお、設置面に凹凸がある場合等に装置ががたつくことの無いように、底壁の後端側の両端にも補助突起３４Ｒ、３４Ｌが形成されている。
【００１７】
一方、装置前面を規定しているフロントケース５の右側の上端位置と、装置後面の上半部分を規定しているアッパーケース３の後壁３ｄの中央位置には、それぞれ、受光窓３５Ｆ、３５Ｒが配置されている。これらの受光窓はリモートコントローラからの制御光を受けるためのものである。このように本例では、装置の前後に受光窓を形成してあるので、装置の前側および後ろの側のいずれの側からでも遠隔操作を行うことができるので便利である。
【００１８】
装置後面の下半部分を規定しているロアーケース４の後壁４ｄには、その左端の部位には、外部電力供給用のＡＣインレット３６、および主電源スイッチ３７が配置されている。
【００１９】
装置の左側の側面には携帯用ハンドル３８が取付けられている。このハンドル３８の２つの基端部分３８ａ、３８ｂは、アッパーケース３およびロアーケース４の側壁３ｂ、４ｂの合わせ面の部分に回転可能に取付けられている。アッパーケース側の側壁３ｂには、ハンドル収納用の凹部３ｅが形成されており、ここにハンドル３８を収納できるようになっている。また、側壁３ｂの上端部分には、装置の動作状態を表示するためのＬＥＤ表示部３９が配置されている。ロアーケース側の側壁４ｂには、下端を中心として開閉可能な入出力用端子蓋４１が取付けられている。これを開けると、内部に配置されている多数の入出力端子４２が露出する（図１７（ａ）参照）。
【００２０】
装置の反対側の側面を規定しているアッパーケースおよびロアーケースの側壁３ｃ、４ｃには、これらの双方の渡る状態で、排気孔４３が形成されている。この排気孔４３の裏面側にはエアーフィルタを介して冷却用の排気ファン１６が位置している。
【００２１】
（光源ランプユニット）
図２（ａ）および図７を参照して、光源ランプユニット８について説明する。光源ランプユニット８は、光源ランプ８０１と、これを内蔵しているほぼ直方体形状のランプハウジング８０２から構成されている。本例では、ランプハウジング８０２は、インナーハウジング８０３とアウタハウジング８０４の二重構造となっている。光源ランプ８０１は、ハロゲンランプ等のランプ本体８０５と、リフレクタ８０６から構成されており、ランプ本体８０５からの光を光軸１ａに沿って光学レンズユニット９の側に向けて出射する。
【００２２】
アウタハウジング８０４は、光軸１ａ方向の前面が開口となっており、ここには紫外線フィルタ８０９が取付けられている。光軸１ａ方向の裏面には、冷却空気の通過用のスリット群８０７が多数形成されている。インナーハウジング８０３は、光源ランプ８０１の前面に取付けられており、出射光の通過部分は開口となっていると共に、外周部分には、冷却空気の通過孔８０８が多数形成されている。本例では、このインナーハウジング８０３と光源ランプ８０１が一体に形成されている。ランプ交換は、これらを一体のままで、着脱するように構成されている。
【００２３】
（光学レンズユニット）
光学レンズユニット９は、その色合成手段を構成しているプリズムユニット９１０以外の光学素子が、図３（ａ）に示す形状をした上下のライトガイド９０１、９０２の間に上下から挟まれて保持された構成となっている。これらの上ライトガイド９０１、下ライトガイド９０２は、それぞれ、アッパーケース３およびロアーケース４の側に固定ねじにより固定されている。また、これらの上下のライトガイド板９０１、９０２は、プリズムユニット９１０の側に同じく固定ねじによって固定されている。プリズムユニット９１０は、ダイキャスト板である厚手のヘッド板９０３の裏面側に固定ねじよって固定されている。このヘッド板９０３の前面には、投写レンズユニット６の基端側が同じく固定ねじによって固定されている。したがって、本例では、ヘッド板９０３を挟み、プリズムユニット９１０と投写レンズユニット６とが一体となるように固定された構造となっている。このように剛性の高いヘッド板９０３を挟み、これらの双方の部品が一体化されている。したがって、衝撃等が投写レンズユニット６の側に作用しても、これらの双方の部材に位置ずれが発生することが無い。
【００２４】
（光学系）
ここで、本例に組み込まれている光学系について説明する。図１９には本例の投写型表示装置１の光学系のみを示してある。本例の光学系は、上記の光源ランプ８０５と、均一照明光学素子であるインテグレータレンズ９２１、９２２から構成される照明光学系９２３と、この照明光学系９２３から出射される白色光束Ｗを、赤、緑、青の各色光束Ｒ、Ｇ、Ｂに分離する色分離光学系９２４と、各色光束を変調するライトバルブとしての３枚の液晶ライトバルブ９２５Ｒ、９２５Ｇ、９２５Ｂと、変調された色光束を再合成する色合成光学系としてプリズムユニット９１０と、合成された光束をスクリーン上に拡大投写する投写レンズユニット６から構成される。また、色分離光学系９２４によって分離された各色光束のうち、青色光束Ｂを対応する液晶バルブ９２５Ｂに導く導光系９２７を有している。
【００２５】
光源ランプ８０５としては、ハロゲンランプ、メタルハライドランプ、キセノンランプ等を用いることができる。均一照明光学系９２３は、反射ミラー９３１を備えており、照明光学系からの出射光のの中心光軸１ａを装置前方向に向けて直角に折り曲げるようにしている。このミラー９３１を挟み、インテグレータレンズ９２１、９２２が前後に直交する状態に配置されている。
【００２６】
色分離光学系９２４は、青緑反射ダイクロックミラー９４１と、緑反射ダイクロイックミラー９４２と、反射ミラー９４３から構成される。白色光束Ｗは、まず、青緑反射ダイクロイックミラー９４１において、そこに含まれている青色光束Ｂおよび緑色光束Ｇが直角に反射されて、緑反射ダイクロイックミラー９４２の側に向かう。赤色光束Ｒはこのミラー９４２を通過して、後方の反射ミラー９４３で直角に反射されて、赤色光束の出射部９４４からプリズムユニット９１０の側に出射される。ミラー９４１において反射された青および緑の光束Ｂ、Ｇは、緑反射ダイクロイックミラー９４２において、緑色光束Ｇのみが直角に反射されて、緑色光束の出射部９４５から色合成光学系の側に出射される。このミラー９４２を通過した青色光束Ｂは、青色光束の出射部９４６から導光系の側に出射される。本例では、均一照明光学素子の白色光束の出射部から、色分離光学系９２４における各色光束の出射部９４４、９４５、９４６までの距離が全て等しくなるように設定されている。
【００２７】
色分離光学系９２４の各色光束の出射部９４４、９４５、９４６の出射側には、それぞれ集光レンズ９５１、９５２、９５３が配置されている。したがって、各出射部から出射した各色光束は、これらの集光レンズ９５１、９５２、９５３に入射して平行化される。
【００２８】
このように平行化された各色光束Ｒ、Ｇ、Ｂのうち、赤色および緑色の光束Ｒ、Ｇは液晶ライトバルブ９２５Ｒ、９２５Ｇに入射して変調され、各色光に対応した映像情報が付加される。すなわち、これらのライトバルブは、不図示の駆動手段によって映像情報に応じてスイッチング制御されて、これにより、ここを通過する各色光の変調が行われる。このゆな駆動手段は公知の手段をそのまま使用することができる。一方、青色光束Ｂは、導光系９２７を介して対応する液晶ライトバルブ９２５Ｂに導かれて、ここにおいて、同様に映像情報に応じて変調が施される。本例のライトバルブは、例えば、ポリシリコンＴＦＴをスイッチング素子として用いたものを使用できる。
【００２９】
導光系９２７は、入射側反射ミラー９７１と、出射側反射ミラー９７２と、これらの間に配置した中間レンズ９７３と、液晶パネル９２５Ｂの手前側に配置した集光レンズ９７３から構成される。各色光束の光路長、すなわち、光源ランプ８０５から各液晶パネルまでの距離は緑色光束Ｂが最も長くなり、したがって、この光束の光量損失が最も多くなる。しかし、導光系９２７を介在させることにより、光量損失を抑制できる。よって、各色光束の光路長を実質的に等価にすることができる。
【００３０】
次に、各液晶パネル９２５Ｒ、Ｇ、Ｂを通って変調された各色光束は、色合成光学系９１０に入射され、ここで再合成される。本例では、前述のようにダイクリックプリズムからなるプリズムユニット９１０を用いて色合成光学系を構成している。ここで再合成されたカラー映像は、投写レンズユニット６を介して、所定の位置にあるスクリーン上に拡大投写される。
【００３１】
ここで、本例の光学系においては、上記の構成に加えて、１／２波長板を、各色の光束の経路に配置して、各色の光束をＳ偏光に揃えることが好ましい。このようにＳ偏光のみを利用できるようにすると、Ｐ偏光およびＳ偏光が混在しているランダム偏光をそのまま利用する場合に比べて、ダイクロイックミラーでの色分離性が改善される。また、導光系９２７はミラーを用いて光束を反射しているが、Ｓ偏光はＰ偏光に比べて反射率が良いので、光量損失等を抑制することができるという利点もある。
【００３２】
（プリズムユニット９１０）
次に、プリズムユニット９１０は、三角柱状の４個の屈折率の同じプリズムを貼り合わせることにより、正方形断面の角柱状にしたものであり、各貼り合わせ面には誘電体膜が形成されて所望の光学特性が付与されている。
【００３３】
これらの４個のプリズムを正確に貼り合わせないと、得られたプリズムユニット９１０を介して合成された各色の画像がスクリーン上で揃わなくなり、画質が低下してしまう。例えば、図２０に示すように、貼り合わせ面が段差ができるとこのような弊害が発生する。各プリズムを正確に貼り合わせるための方法としては、図２１に示すように、４個のプリズム９１０ａ、９１０ｂ、９１０ｃおよび９１０ｄのうち、一対のプリズム９１０ａ、９１０ｂをまず、段差を付けて貼り合わせると共に、残りの一対のプリズム９１０ｃ、９１０ｄも同様に、段差を付けて貼り合わせ、しかる後に、これらの段差面９１０ｅ、９１０ｆを位置合わせ面として利用して、各対のプリズムを貼り合わせるようにしている。
【００３４】
しかし、この方法では、一方向の位置合わせはできるが、これに直交する方向の位置合わせができない。そこで、本例のプリズムユニット９１０は、次のようにして、４個のプリズムを正確に貼り合わせるようにしている。図２２に示すように、プリズム９１０ｃを最も長くし、プリズム９１０ｂ、９１０ｄを最も短くし、残りのプリズム９１０ａを中間の長さに設定する。最も長いプリズム９１０ｃと、最も短いプリズム９１０ｄとを、上下に段差のある状態で貼り合わせる。同様に、中間の長さのプリズム９１０ａと最も短いプリズム９１０ｂとを上下に段差のある状態で貼り合わせる。この後に、最も長いプリズム９１０ｃと中間の長さのプリズム９１０ａとが上端側に段差が付いた状態となるように、各対のプリズムを貼り合わせる。
【００３５】
このように貼り合わせて得られるプリズムユニット９１０においては、位置合わせ面として、従来と同様な位置合わせ面９１０ｅ、９１０ｆの他に、下端側にもこれに平行な位置合わせ面９１０ｇ、９１０ｉが形成される。さらには、これらの位置合わせ面に直交する位置合わせ面９１０ｊが上端側に形成される。したがって、これらの面に治具をあてがって、４個のプリズムを正確に貼り合わせることができる。
【００３６】
また、このように貼り合わせた本例のプリズムユニット９１０は、プリズム９１０ｃの上端に形成されている直交する位置合わせ面９１０ｆおよび９１０ｊを利用して、次のように光学レンズユニット９の所定の取付け位置に取り付けることにより、正確にその位置決めを行うようにしている。
【００３７】
すなわち、本例では、プリズム固定板９１１として図２３に示す形状の樹脂製のものを使用している。この固定板９１１の表面には、上記のプリズム９１０ｃの上端の面９１０ｊが丁度嵌まり込む深さの直角二等辺三角形の取付け溝９１１ａが形成されている。この溝の底面９１１ｂに対して、プリズム９１０ｃの上端面９１０ｋが接着固定される。溝の直交する一対の側面９１１ｃ、９１１ｄに、それぞれプリズム９１０ｃの位置合わせ面９１０ｊ、９１０ｆを押しつけることにより、プリズムユニット９１０の中心が正確に位置決めされるので、プリズムユニット９１０は正確な位置に取付けられる。
【００３８】
本例では、プリズム固定板９１１が複数本の固定ねじにより、ヘッド板９０３の底壁９２に固定され、この上面にプリズムユニット９１０が取付けられた構造となっている。
【００３９】
（光ストローク等の防止機構）
次に、本例のプリズムユニット９１０においては、ライトバルブ９２５Ｒを通過した変調光束が入射するプリズム面に赤色光束は通過するが、青色光束を吸収遮断するガラスフィルタ９１２を貼り付けておくことが好ましい。すなわち、図２４に示すように、プリズムユニット９１０の赤色変調光束の入射面９１０Ｒに、ガラスフィルタ９１２を貼り付けておく。各ライトバルブ９２５Ｒ，Ｇ、Ｂを通過した各色の変調光束は、プリズムユニット９１０内を通過して、そのＸ状の反射面で反射されて、投写レンズユニット６の側に出射される。しかし、各色の僅かの量の光は、反射面で反射せずにそのまま通過して、プリズムユニット９１０を挟み対峙している液晶ライトバルブの側に到る。例えば、青色の変調光束が青反射面を通過して赤色のライトバルブ９２５Ｒの裏面からここに入射してしまうことがある。逆に、赤色の変調光束が赤反射面を通過して青色のライトバルブ９２５Ｂの裏面からここに入射してしまうことがある。さらには、緑色の変調光束が、プリズムユニット９１０内を通過せずに、赤色のライトバルブ９２５Ｒの側に反射されてしまうことがある。このように裏面側から液晶ライトバルブに光が入射すると、その液晶パネルが誤動作する等の悪影響が出るおそれがある。特に、短波長側の光である青色の光によるこのような影響が特に大きい。そこで、上記のように、プリズムユニット９１０における赤色変調光束の入射面９１０Ｒに、ガラスフィルタ９１２を貼り付けて、青色光束が裏面側から液晶ライトバルブ９２５Ｒに入射することを防止すれば、このような弊害を回避することができる。
【００４０】
なお、上記のフィルタ９１２に加えて、青色の変調光束の入射面の側にも、赤色光束を吸収するフィルタを取り付けてもよい。
【００４１】
（電源ユニット）
電源ユニット７は、図２に示すように、金属製のシールドケース７０１の内部に各構成素子が内蔵され、この部分で発生する電気的、磁気的ノイズが外部に漏れることを防止してある。シールドケース７０１は、装置の外装ケース２の左右の側壁に渡る大きさであり、左端の部分は、装置前方側に向けて一定の幅で突出した平面形状をしている。すなわち、この突出部分７０２の前方には、光学系ブロック９の均一照明系の反射ミラー９３１が装置前後方向に対して４５度の角度で配置されている。この裏面側の空間はとかくデットスペースになり易い。本例では、この空間７０３を有効利用するために、シールドケース７０１をこの空間７０３の側に突出させて突出部分７０２を形成し、電源ユニットの構成部品の配置空間を確保している。
【００４２】
電源ユニット７のシールドケース７０１は、矩形の中空断面をしており、その剛性は他の部分に比べて一般的に高い。このケース７０１の底面側は、複数本の固定ねじによって、ロアーケース４の底部４ａに固定されている。また、その上面側は、同じく複数本の固定ねじによって、アッパーケース３の上壁３ａに固定されている。このように、本例では、装置後端側においては、アッパーケース３およびロアーケース４を、剛性の高いシールドケース７０１に固定してあるので、装置後端部分の外装ケースは、一体性が高く、また剛性も高くなっている。
【００４３】
ここで、電源ユニット７は、装置内に配置されている他の部品に比べて、重量が大きい。この電源ユニット７と共に装置内において重量の大きい部品は、ヘッド板９０３の前後に固定したプリズムユニット９１０および投写レンズユニット６である。本例では、図２から良く分かるように、電源ユニット７を装置後端において横長の状態に配置してある。また、電源ユニット７の各構成素子の配置を適切に設定することにより、その重心が、装置の幅方向の中央に位置するように調整してある。これに対して、装置前端側においては、その中央にプリズムユニット９１０と投写レンズユニット６が配置されている。したがって、本例においては、装置の重心位置が、ほぼ装置の幅方向および前後方向の中心に位置するようになる。この結果、携帯用ハンドル３８を引出して、図２５に示すように装置左側が上に向いた姿勢で装置を持ち運んでいる際に、誤って装置を落下させても、装置は、その中心が前後左右の中央に位置しているので、その姿勢のまま落下することになる。装置の重心位置が前後あるいは左右に片寄った位置にあると、装置は重心の側に倒れながら落下する。このように落下すると、装置の外装ケースの角の部分が床面等に最初に衝突するので、局部に過大な衝撃力が作用して、その部分が破損するおそれが極めて高い。しかしながら、本例では、装置はそのまま前後、左右に倒れることなく落下するので、下側の装置右側面が全体としてほぼ同時に床面等に衝突し、局部的な破損が発生するおそれが極めて低いという利点がある。
【００４４】
さらに、電源ユニット７は従来においては、その底面あるいは上面の側を外装ケース２の側に固定しているのみである。しかし、本例では、図２（ｂ）から分かるように、電源ユニット７の装置上下方向における重心位置に対応する高さ位置の所でも、固定ねじ７０４によって、外装ケース２の側に固定している。本例では、ロアーケース４の後壁４ｄに固定している。この結果、装置に前後方向の振動が加わった場合に、電源ユニット７の前後の揺れが効果的に防止される。
【００４５】
一方、本例の電源ユニット７では、ここから各駆動部分への電力供給路等を可能な限り短くすることにより、ノイズ発生源であるリード線を可能な限り短くし、これによりノイズの発生を抑制するようにしている。まず、ＡＣインレット３６および主電源スイッチ３７は、電源ユニット７のシールドケース７０１の後側面に対して直接に固定してある。したがって、これらの各部分から電源ユニット７まで引き回されるリード線を省略できる。
【００４６】
また、装置裏面に取り付けたランプ交換蓋２７の開閉に連動するインターロックスイッチ７１０も電源ユニット７のシールドケース７０１の前側面に一体的に取り付けてある。すなわち、図２に示すように、インターロックスイッチ７１０は、シールドケース突出部分７０２の装置右側に僅かに離れた部分に取付けられている。このスイッチ７１０の動作部分７１１は下方に向いており、ここが、交換蓋２７の上面から垂直に延びる作動突起２７１によって常に上方に押し上げられている。この状態では、インターロックスイッチ７１０はオン状態にある。これに対して、交換蓋２７を外した状態では、スイッチ７１０の動作部分が下方に移動して、スイッチはオフ状態に切り換わる。このように、従来においては電源ユニット７から離れた位置にあったスイッチ７１０を電源ユニットのシールドケース７０１の側面に固定して、そこまでのリード線を短くしてある。
【００４７】
さらには、本例の電源ユニット７においては、装置前側に隣接配置されているランプユニット８の駆動回路であるバラスト回路部分７２０を、ランプユニット８と同一の側に配置してあり、ここからランプユニット８までのリード線を極力短くするようにしてある。
【００４８】
このように、本例においては、電源ユニット７から引き出されて各駆動部分に到る電力供給路を極力短くしてあるので、従来に比べて、ノイズ源が少なくなり、ノイズ発生を抑制することができる。
【００４９】
（基板の配置）
図１１、図１２および図１３を参照して、インタフェース基板１１、ビデオ基板１２および制御基板１３の配置について説明する。まず、制御基板１３は、図１６に示すように、アッパーケース３の上壁３ａの下側位置においてこれと平行に配置され、外周縁の複数の箇所で固定ねじにより、アッパーケース３の側に固定されている。この基板１３は、光学系ブロック９および光源ランプユニット８の上面を覆う形状をしている。また、プリズムユニット９１０の直上部分は矩形に切りかかれた形状となっている。この基板１３の装置左側の端部には、装置上面の左側の端に配列されている操作スイッチ群２６ａに対応する接点が配列されている。
【００５０】
図１３から分かるように、インタフェース基板１１はロアーケース４の底壁４ａよりも僅かに高い位置において平行に配置されている。また、ビデオ基板１２は、このインタフェース基板１１の表面側から装置上下方向に起立した姿勢で、装置左側の側壁に平行に配置されている。これらの２枚の基板１１、１２は、ロアーケース４の底壁４ａに固定した基板固定金具１１１によって支持されている。また、基板固定金具１１１の上端にはシールド板１１２が取付けられており、このシールド板１１２の上端側は、ビデオ基板１２の上端まで延びている。したがって、これらの２枚の基板１１、１２、シールド板１１２および基板固定金具１１１によって、これらの間にシールド空間が区画形成されている。したがって、これらの間に配置されている電気素子、電子素子から発生したノイズが外部に漏れることが防止される。
【００５１】
ここで、各基板間の電気的接続は次のようになっている。まず、インタフェース基板１１の表面には、ビデオ基板１２の側とのコネクタ１１３が配置されている。ビデオ基板１２の下端側の表面には、このコネクタ１１３に差し込み接続可能なコネクタ１１４が配置されている。同様に、ビデオ基板１２の上端側の表面には制御基板１３の側とのコネクタ１１５が配置されている。制御基板１３の裏面には、このコネクタ１１５に差し込み接続可能なコネクタ１１６が配置されている。したがって、図１３に示すように、各基板１１、１２、１３を配置した状態においては、相互の対応するコネクタ同志が接続した状態になる。
【００５２】
このように、本例では、各基板間の接続がリード線等を引き回すことなく形成されている。したがって、ノイズ発生源が少なく、ノイズの発生を抑制することができる。
【００５３】
さらに、本例では、図１１から分かるように、制御基板１３の外周縁の角の部分を、固定ねじを用いて、外装ケース２の側、すなわち接地側に固定してある。このような角の部分は、ノイズ発生が起こり易い部分である。しかし、本例のようにこのような部分を接地することにより、ノイズの発生を抑制することが可能となっている。
【００５４】
（ヘッド板の部分の構造）
図４、図６を主として参照してヘッド板９０３の形状を説明する。ヘッド板９０３は、装置の幅方向に向けて垂直な姿勢で延びる垂直壁９１と、この垂直壁９１の下端から水平に延びる底壁９２から基本的に構成されている。垂直壁９１は、図８に示すように、表面に縦横に補強リブ９１ａが多数本形成されて面外剛性が高い壁であり、その中央部分には、プリズムユニット９１０からの出射光が通過するための矩形の開口９１ｂが形成されている。また、この垂直壁９１には、プリズムユニット固定ねじのねじ孔９１ｃが形成されていると共に、投写レンズユニット６の基端側を固定するためのねじ孔９１ｄが形成されている。図４から分かるように、垂直壁９１の前面側の表面には投写レンズユニット６の基端側が固定され、その後面側の表面にはプリズムユニット９１０固定される。
【００５５】
このように、剛性の高い垂直壁９１を挟み、位置合わせした状態で、プリズムユニット９１０および投写レンズユニット６が固定されるので、これらの一体性は高く、衝撃力等が作用しても、相互の位置ずれが発生するおそれは極めて少ないという利点がある。
【００５６】
ヘッド板９０３の底壁９２の裏面には、冷却ファン１５が取付けられている。この底壁９２には、冷却用空気を流通させるための連通孔（図示せず）が形成されている。
【００５７】
ここで、図２（ｂ）および図４（ａ）から分かるように、ヘッド板９０３の垂直壁９１の上端および下端には、それぞれ、アッパーケース３およびロアーケース４への取付け部９１ｅ、９１ｆが形成されている。これらの部分が固定ねじによって、それぞれアッパーケース３およびロアーケース４の側に固定される。
【００５８】
このように、本例においては、前述したように、アッパーケース３およびロアーケース４は、その後端側の部分が電源ユニット７に固定され、前端側の部分がヘッド板９０３に固定されている。このように、前後において剛性の高い部分に固定されているので、アッパーケース３およびロアーケース４の一体性、剛性が高くなる。よって、耐衝撃性の改善され、落下等により破損が起きることが少なくなる。
【００５９】
（冷却機構）
次に、図７、図８、図９および図１０を参照して、本例の投写型表示装置１における各発熱部分の冷却機構について説明する。
【００６０】
本例の装置１における基本的な冷却用空気の流れは、平面的には、図８に示すような経路となる。装置１の底壁４ａに形成した通気孔２８を通って外部から冷却用吸引ファン１５によって吸引された空気は、光学レンズユニット９の内部を通過して、装置の右側面に配置されている排気ファン１６によって、再び外部に排出される。主要な空気流の流通経路は図８において太線で示してあるように、その一部の空気流１１００は、平面的に見て、光学レンズユニット９を通過して、直線に排気ファン１６に至り、ここを通過して外部に排出される。
【００６１】
別の空気流１１２０は、光学レンズユニット９から光源ランプユニット８の前面側から、そのアウタハウジング８０４に形成されている通気孔８０４ａ、およびインナーハウジング８０３に形成されている通気孔８０８を介して、その内部に入り込む。ここを通過した後は、裏面側の排気口８０７を通過して、その裏側の排気ファン１６を介して外部に排出される。
【００６２】
これに対して、別の空気流１１３０は、光学レンズユニット９を介して、電源ユニット７の端に取り付けてある補助吸引ファン１７によって吸引されて、電源ユニット７の内部に引き込まれ、この内部を通過して他端側から排気ファン１６によって吸引されて外部に排出される。
【００６３】
図９には、電源ユニット７の内部を通過する空気流１１３０の流通経路の立体的な流れを示してある。この図に示すように、空気流１１３０は、吸引ファン１５によって外部から吸引された後に、光学レンズユニット９における各ライトバルブ９２５Ｒ、Ｇ、Ｂの入射側および出射側の表面に沿って上方に吹き上げられ、上ライトガイド９０１に開けた通気孔を通って、この上面とアッパーケースの上壁３ａの裏面の間に入りこみ、これらの間に沿って横方向の流れる。次に、上ライトガイド９０１に開けた通気孔を通って、均一照明光学素子であるインテグレターレンズ９２１、９２２が配置されている光学レンズユニット９の部分を降下して、下ライトガイド９０２に開けた通気孔からその下側に回り込み、しかる後に、吸引ファン１７を介して電源ユニット７の内部に導入される。この後は、排気ファン１６の側に流れ、ここを介して外部に排出される。
【００６４】
このように、本例では、補助の排気ファン１７を配置して、強制的に電源ユニット７の内部に冷却用空気流を導入している。したがって、発熱源である電源ユニットの内部を効果的に冷却することができる。
【００６５】
図７には、光源ランプユニット８を通過して流れる空気流１１２０の立体的な流れを示してある。この図に示すように、空気流１１２０は、上ライトガイド９０１とアパーケース上壁３ａの裏面の間に沿って流れて、光源ランプユニット８の出射側の前端上部に至る。ここから光源ランプユニット８の各構成部分の表面に沿って流れて、後ろ側の排気ファン１６に到る。すなわち、空気流１１２０は、アウターハウジング８０４の内外の表面に沿って流れると共に、インナーハウジング８０３の内外の表面に沿って流れる。さらには、リフレクタ８０６の表面に沿って流れる。
【００６６】
このように、本例では、光軸に沿って光源ランプユニット８の前端側から後ろ側に向けて空気流１１２０が形成されて、ランプ８０５、リフレクタ８０６等の発熱源の周囲が効率良く冷却される。
【００６７】
次に、本例では、図９、１０から分かるように、アッパーケースの上壁３ａの側にも、通気孔２４が形成されている。したがって、例えば、吸気ファン１５の通気孔２８に取り付けたフィルタ２９に目詰まりが発生して、ここを介して充分な外気を導入できなくなった場合には、次のように、上側の通気孔２４から外気が導入される。図１０に示すように、下側の通気孔２８が詰まると、内部が負圧状態となるので、上側の通気孔２４から外気が導入され、太線１１４０で示すような空気流が発生する。この空気流１１４０は通気孔２４から導入されて下側の吸気ファン１５に吸引され、ここを介して再び上方に吹き上げられる。一部は循環流となって吸気ファン１５を介して循環する（勿論、このような循環流は下側の通気孔２８に目詰まりが起きていない正常な場合でも発生している。）。それ以外の空気流は、上述したような各空気流１１１０、１１２０、１１３０として各部分を通過して流れて、排気ファン１６から外部に排出される。
【００６８】
ここで、下側の通気孔２８の目詰まり時に上側の通気孔２４からの外気の導入を効果的に行うことができるように、吸気ファン１５の周囲には、封止板１１５０を取り付けてある。この封止板１１５０は、通気孔２４に対応する部分には通気口が開いているが、その周囲は、下ライトガイド９０２、ヘッド板の底壁９２の裏面に密着されている。従って、図１０に示すような循環流が効率良く形成される。すなわち、上側の連通孔２４からの外気の導入が効果的に行われる。
【００６９】
このように、本例では、連通孔２４を設けてあるので、吸気ファン１５の側の外気導入用の連通孔２８が詰まった場合でも、装置内部の冷却を支障なく行うことができる。また、封止板１１５０を取り付けてあるので、このような目詰まり状態において、吸気ファン１５から離れた通気孔２４からの外気の導入を効率良く行うことができる。
【００７０】
（ライトバルブの位置決め機構）
次に、図４、図５を参照して、本例の液晶ライトバルブ９２５Ｒ、Ｇ、Ｂの位置決め機構について説明する。これら３枚のライトバルブの位置決め機構は同一であるので、一つのライトバルブ９２５Ｒの位置決め機構について説明する。
【００７１】
ライトバルブ９２５Ｒが取付けられたライトバルブブロック１２００は、ヘッド板９０３の底壁９２の上面に固定されている。このライトバルブブロック１２００は、この底壁９２に取付けられる下調整板１２１０を有している。この下調整板１２１０には、左右一対の長孔１２１１、１２１２が形成されており、これらは光路方向に長い形状となっており、これらを介して、固定ねじ１２１３、１２１４によってヘッド板の底壁９２に固定されている。
【００７２】
この下調整板１２１０の上面には、光路に垂直となる状態でフォーカス調整板１２２０が取付けられている。このフォーカス調整板１２２０は、垂直壁１２２１と、この下端から水平に光路上流側に延びる底壁１２２２と、垂直壁１２２１の上端から水平に光路下流側に延びる上壁１２２３を備えている。底壁１２２２の中心にはダボ１２２４が形成され、これが下調整板１２１０によって回転可能に支持されている。よって、フォーカス調整板１２２０はこのダボ１２２４を通る垂線を中心として左右に旋回可能である。底壁１２２２は、一対の固定ねじ１２２５によって下調整板１２１０の側に固定されている。一方、フォーカス板１２２０の上壁１２２３は、固定ねじ１２２６によって、プリズムユニット９１０の上面を覆うカバー９１０ａに固定されている。このねじ１２２６のねじ孔１２２７はねじ１２２６よりも大きな寸法に設定されており、したがって、ねじ１２２６を緩めれば、フォーカス調整板１２２０の位置を前後左右に僅かに移動させることが可能となっている。また、この上壁１２２３の先端部分にはノッチ１２２８が形成されている。プリズムユニットカバー９１０ａの側には、このノッチ１２２８に対して所定の間隔で対峙する位置にもノッチ９１０ｂが形成されている。フォーカス板１２２０を取り付けた状態においては、これらのノッチの間には、マイナスドライバー等の刃先を差し込み可能な差し込み溝１２２９が形成される。固定ねじ１２２６等を僅かに緩めた状態で、この差し込み溝１２２９にドライバー等の刃先を差し込んで回転すると、フォーカス調整板１２２０は、プリズムユニット９１０に対して、ダボ１２２４を中心として垂線回りに旋回すると共に、光路方向（前後方向）にも移動する。
【００７３】
このように光路方向に沿って前後に移動可能なフォーカス板１２２０の垂直壁１２２１には、これと平行な状態で垂直調整板１２３０が支持されている。すなわち、垂直壁１２２１の上下には垂直調整板支持部が形成され、これらの間に垂直調整板１２３０が挟まれている。この垂直調整板１２３０の下端はアイライメントばね１２３１を介してフォーカス板１２２０の下端側に支持され、上端側は、フォーカス板１２２０に取り付けた左右一対のアライメント調整ねじ１２３２、１２３３によって下方に押されている。したがって、この一対の調整ねじ１２３２、１２３３のねじ込み量を調整することにより、垂直調整板１２３０をフォーカス板１２２０に対して相対的に上下に移動させることができる。
【００７４】
この垂直調整板１２３０には、これと平行な状態で水平調整板１２４０が支持されている。この水平調整板１２４０は、左右の一方の側にアライメント調整ばね１２４１で押され、他方の側は１本のアライメント調整ねじ１２４２によって押されている。したがって、このねじ１２４２のねじ込み量を調整することにより、水平調整板１２４０を垂直調整板１２３０に対して横方向に相対移動させることができる。この水平調整板１２４０の中央部分に、液晶ライトバルブ９２５Ｒが取付けられたライトバルブユニット１２５０が固定されている。
【００７５】
この構成のライトバルブブロック１２００は、これをヘッド板底壁９２に固定した後には、下調整板１２１０を光路方向に沿って前後に調整すると共に、フォーカス板１２２０をダボ１２２４を中心として垂線の回りに旋回することにより、ライトバブル９２５Ｒのフォーカス位置、すなわち光路方向の位置決めを簡単に行うことができる。また、垂直調整板１２３０、水平調整板１２４０を上下、左右に移動させることにより、ライトバブル９２５Ｒのアライメント調整を行うことができる。
【００７６】
ここで、本例のライトバブルブロック１２００においては、３枚の板、すなわち、フォーカス調整板１２２０、垂直調整板１２３０および水平調整板１２４０は、左右の略中央部分、上端の中央部分の合計３箇所の位置で、Ｕ字状の調整板固定ばね１２６０によって固定されている。従来のように、これらの３枚の板を、固定ねじによって固定している場合とは異なり、フォーカス合わせ等を行う際に、固定ねじを緩める等の操作が不要であり、固定ばね１２６０を取り付けたまま調整することができるという利点がある。また位置決めを行った後に、従来のように固定ねじを締め付けて３枚の板を固定すると、締め付け動作によって、折角調整した３枚の板がずれてしまうおそれがあるが、本例では、このような操作が不要なので、調整後に３枚の板がずれるおそれはない。しかるに、位置決め後に、３枚の板を完全に一体化するために、本例では、３枚の板の上端部分に、接着剤溜１２７０を形成してある。この接着剤溜１２７０には、３枚の板の位置合わせが終わった後に、接着剤を流しこみ、これらを接着固定する。
【００７７】
（高さ調整用フットの構造）
図１４、１５には、それぞれ、高さ調整用フット３１Ｒ、３１Ｌを示してある。これらの双方のフットは同一形状であり、その高さ調整機構も同一であるので、一方のフット３１Ｌについて説明する。このフット３１Ｌは、装置のフロントケース５の下端から露出している円盤状のフット本体３１１と、この上端から同軸状態に延びるシャフト３１２を有している。シャフト３１２は、ロアーケース４に固定支持されているフットアジャスタ板３１３によって上下に移動可能な状態で支持されており、その外周にはほぼ全長に渡って雄ねじ３１７が形成されている。
【００７８】
フロントケース５の下端から前方に露出しているフットストッパーボタン３２Ｌの裏面側には、板状のフットストッパ３１４が一体形成されている。このフットストッパー３１４には上記のシャフト３１２が貫通している貫通部３１５が形成されている。さらに、フットストッパばね３１６によって、常に、フットストッパ３１４は装置前方側に向けて押されている。したがって、このフットストッパ３１４の前側のボタン３２Ｌは常にフロントケース５から前方に突出した状態に保持されている。この状態においては、フットストッパ３１４の貫通部３１５の内周面の一部分がシャフト３１２の外周面に所定の圧力で当たっている。この貫通部の内周面には、シャフトの雄ねじ３１７に螺合可能な雌ねじ３１８が形成されている。
【００７９】
この構成の高さ調整用フット３１Ｌは、ばね３１６によって上下の移動が禁止されている。しかるに、ボタン３２Ｌをばね力に抗して押し込むと、そのフットストッパ３１４がシャフト３１２から外れる。この結果、フット３１Ｌはフットアジャスタ板３１３に沿って上下に自由に移動可能となる。したがって、装置１を両手で持ち上げて、左右のボタン３２Ｌ，Ｒを押せば、フット３１Ｌ、３１Ｒは自重により落下するので、フットを所定の長さだけ引き出すことができる。この後は、フットが目標とする長さだけ引き出された状態でボタン３２Ｌ，Ｒを離せば、フットはその位置に固定される。
【００８０】
この後は、フット自体を旋回させると、そのシャフト３１２が、ストッパ３１４の側のねじ３１８に沿って上下に微小移動する。したがって、ボタン３２Ｌ、Ｒを押して大まかに調整したフット３１Ｌ，Ｒの長さを、フット自体を回転させることにより、微調整することができる。このようにして、本例では、装置１の前端側の高さ調整を簡単な操作により、しかも短時間で行うことができ、装置１を希望の傾斜角度に設定することができる。
【００８１】
（ハンドル取付け構造）
図１７を参照して、ハンドル３８の取付け構造を説明する。ハンドル３８は、装置１の側面に形成されたハンドル収納用凹部３ｅに収納されている。ハンドル３８はその一対の下端部分３８ａ、３８ｂを中心として旋回して、横に引き出した状態にできる。本例では、ハンドルの回転軸３８１の軸受け部分が、アッパーケースの側壁３ｂと、ロアーケース側壁４ｂを組み合わせることにより形成されるようになっている。また、ハンドルの下端部分３８ａ、３８ｂの周面には、僅かに突出した突出面３８３が形成されている。この突出面３８３によって、ハンドル３８は図１７（ａ）の実線で示す収納位置と、想像線で示す引出し位置に、所定の拘束力で固定されるようになっている。
【００８２】
【発明の効果】
以上説明したように、本発明の投写型表示装置によれば、第１の吸気口が目詰まりした場合でも、第２の補助の吸気口から充分な吸気を導入できる。よって、常に内部の冷却を充分に行うことができる。ここで、吸引ファンの周囲を封止板によって覆うようにすれば、円滑な空気流を形成できるという利点がある。
【図面の簡単な説明】
【図１】本発明の一実施例である投写型表示装置の外観形状を示す図である。
【図２】図１の装置の内部の各部品の配置を示す図であり、（ａ）はその平面的な配置を示す図、（ｂ）はその立体的な配置を示す図である。
【図３】光学レンズユニットと投写レンズユニットの部分を取り出して示す図であり、（ａ）はその概略平面構成図、（ｂ）はその概略断面構成図である。
【図４】ヘッド板、プリズムユニットおよび投写レンズユニットを取り出して示す図であり、（ａ）はその概略平面図、（ｂ）はその概略断面図である。
【図５】ライトバルブブロックを示す図であり、（ａ）はその平面図、（ｂ）はその正面図、（ｃ）はその側面図である。
【図６】ヘッド板の形状を示す概略正面図である。
【図７】光源ランプユニットの構成を示す概略断面構成図である。
【図８】冷却空気流の平面的な流れを示す説明図である。
【図９】冷却空気流の立体的な流れを示す説明図である。
【図１０】冷却空気流の立体的な流れを示す説明図である。
【図１１】基板の配置を示すための説明図である。
【図１２】基板の配置を示すための説明図である。
【図１３】基板の配置を示すための説明図である。
【図１４】高さ調整フットの構造を示す部分断面図である。
【図１５】高さ調整フットの構造を示す部分断面図である。
【図１６】アッパーケースとロアーケースの固定構造を示す部分断面図である。
【図１７】ハンドル取付け部分の構造を示す部分断面図である。
【図１８】図１の装置の重心位置を示す説明図である。
【図１９】図１の装置に組み込まれている光学系の概略構成図である。
【図２０】プリズムユニットの位置ずれの例を示す説明図である。
【図２１】従来のプリズムユニットの貼り合わせ方法を説明するための説明図である。
【図２２】本例のプリズムユニットの貼り合わせ方法を説明するための説明図である。
【図２３】プリズムユニット固定板の形状を示す説明図である。
【図２４】プリズムユニットの好ましい例を示す説明図である。
【符号の説明】
１      投写型表示装置
１ａ    光軸
２      外装ケース
３      アッパーケース
４      ロアーケース
６      投写レンズユニット
７      電源ユニット
７ａ      通気孔
７０４  電源ユニットの固定ねじ
８      光源ランプユニット
８０２    ランプケース
８０４ａ、８０８    通気孔
８０７    通気孔
９      光学レンズユニット
９０３  ヘッド板
９１０  プリズムユニット（色合成手段）
９２４  色分離手段
９２５Ｒ、９２５Ｇ、９２５Ｂ        ライトバルブ
１５      吸気ファン
１６      排気ファン
１７      補助吸気ファン
２４      通気孔（空気排出口）
２８      通気孔（冷却用空気取り入れ口）
４３      排気口
１１００、１１２０、１１３０、１１４０    空気流
１１５０  封止板
【図１】
0003555615.tif 000002
【図２】
0003555615.tif 000003
【図３】
0003555615.tif 000004
【図４】
0003555615.tif 000005
【図５】
0003555615.tif 000006
【図６】
0003555615.tif 000007
【図７】
0003555615.tif 000008
【図８】
0003555615.tif 000009
【図９】
0003555615.tif 000010
【図１０】
0003555615.tif 000011
【図１１】
0003555615.tif 000012
【図１２】
0003555615.tif 000013
【図１３】
0003555615.tif 000014
【図１４】
0003555615.tif 000015
【図１５】
0003555615.tif 000016
【図１６】
0003555615.tif 000017
【図１７】
0003555615.tif 000018
【図１８】
0003555615.tif 000019
【図１９】
0003555615.tif 000020
【図２０】
0003555615.tif 000021
【図２１】
0003555615.tif 000022
【図２２】
0003555615.tif 000023
【図２３】
0003555615.tif 000024
【図２４】
0003555615.tif 000025